(57)【要約】  【課題】良好な操作位置と、傾動制動部の作動部に対する良好な作動性とを確保できるとともに当該傾動操作装置を自由に配置できる傾動操作装置を備えた椅子を提供する。  【解決手段】背もたれ６を取り付けるための背フレーム５と座受３を支持するための支持基部２との間に設けた傾動制動部の作動部たる開閉部７３の開閉によって、背もたれ６の傾動動作を選択的に可能にした椅子Ｃの傾動制動装置７を操作するための装置であって、手指を掛けて操作可能な操作ハンドルと連動動作するハンドル側作動体９３と、前記ハンドル側作動体９３と当接し、且つ前記傾動制動部の開閉部７３と当接してその開閉部７３を開放（Ｕ１）又は閉塞状態（Ｕ２）にする中間作動体９４とを具備し、前記ハンドル側作動体９３と中間作動体９４とが当接する位置と、前記中間作動体９４と開閉部７３とが当接する位置とを異なる位置に配するようにした。【選択図】図６
2006181102.tif 000002
【特許請求の範囲】
【請求項１】
背もたれを取り付けるための背フレームと座受を支持するための支持基部との間に設けた傾動制動部の作動部を作動させることによって、背もたれの傾動動作を選択的に可能にした椅子の傾動制動装置を操作するための装置であって、
手指を掛けて操作可能な操作ハンドルと連動動作するハンドル側作動体と、
前記ハンドル側作動体と当接し、且つ前記傾動制動部の作動部と当接してその作動部を作動又は非作動状態にする中間作動体とを具備し、
前記ハンドル側作動体と中間作動体とが当接する位置と、前記中間作動体と作動部とが当接する位置とを異なる位置に配していることを特徴とする傾動操作装置を備えた椅子。
【請求項２】
前記中間作動体が、前記ハンドル側作動体と作動部との間に配されるものであって、
前記ハンドル側作動体が中間作動体の一面側で当接し、前記作動部が中間作動体の他の面側で当接するように構成していることを特徴とする請求項１記載の傾動操作装置を備えた椅子。
【請求項３】
前記中間作動体が、前記傾動制動部の作動部を作動状態にした際に、前記ハンドル側作動体の一部と係合する作動時係合部と、非作動状態にした際に、前記ハンドル側作動体の他の一部と係合する非作動時係合部とを具備することを特徴とする請求項１または２記載の傾動操作装置を備えた椅子。
【請求項４】
前記ハンドル側作動体の一部と作動時係合部とが、互いに摺動し得るものであることを特徴とする請求項３記載の傾動操作装置を備えた椅子。
【請求項５】
前記ハンドル側作動体の他の一部と非作動時係合部とが、互いに摺動し得るものであることを特徴とする請求項３又は４記載の傾動操作装置を備えた椅子。
【請求項６】
前記ハンドル側作動体と中間作動体との当接する位置が、基端側を回動中心として回動させた当該中間作動体の先端側であり、また、前記中間作動体と作動部との当接する位置が、基端側を回動中心として回動させた当該中間作動体の中間部であることを特徴とする請求項１乃至５いずれか記載の傾動操作装置を備えた椅子。
【請求項７】
前記中間作動体の先端側が、前記傾動制動部の作動部を作動状態にした際に、前記ハンドル側作動体の一部と係合しつつ、そのハンドル側作動体の一部からの押圧力を受けるように構成していることを特徴とする請求項６記載の傾動操作装置を備えた椅子。
【請求項８】
前記中間作動体の先端側が、前記傾動制動部の作動部を非作動状態にした際に、前記ハンドル側作動体の他の一部と係合しつつ、そのハンドル側作動体の他の一部からの押圧力を受けるように構成していることを特徴とする請求項６または７記載の傾動操作装置を備えた椅子。
【請求項９】
前記中間作動体の先端側がハンドル側作動体から受ける押圧力を、前記傾動制動部の作動部を作動状態にした際と非作動状態した際とで異なるように構成していることを特徴とする請求項６乃至８いずれか記載の傾動操作装置を備えた椅子。
【請求項１０】
前記ハンドル側作動体と基準位置で当接することにより、前記操作ハンドルがその基準位置よりも反操作方向へ移動することを防止するストッパを備えていることを特徴とする請求項１乃至９いずれか記載の傾動操作装置を備えた椅子。
【請求項１１】
前記作動部を、背フレーム側に配していることを特徴とする請求項１乃至１０いずれか記載の傾動操作装置を備えた椅子。
【発明の詳細な説明】
【技術分野】
【０００１】
本発明は、背もたれの傾動動作を選択的に可能にした椅子の傾動制動装置を操作するための傾動操作装置を備えた椅子に関するものである。
【背景技術】
【０００２】
従来から、背もたれを備える背フレームの前端下部を、脚体上部の支基に枢着するとともに、該支基と背フレームとの間にガススプリングを設け、このガススプリングにおける背フレーム側に突設されたバルブ操作部を押動することにより、ガススプリングを作動させて前記背もたれを後傾するようにした椅子のガススプリング操作装置が知られている（例えば、特許文献１参照。）。
【０００３】
具体的にこのガススプリング操作装置は、背フレームに、適所にほぼクランク状の折曲部を有するとともに、一端に上下方向に回動操作可能な操作レバーを備え、かつ、中間部に、バルブ操作部を押圧可能な押圧片が固着された左右方向を向く操作ロッドを、回動自在に設け、且つ、バルブ操作部の押動時において、折曲部における操作ロッドと平行な係止軸部が係脱可能に嵌合する保持部を有する保持部材を、背フレームの適所に設けている。
【特許文献１】特開２００３−２４５１５３号公報
【発明の開示】
【発明が解決しようとする課題】
【０００４】
しかしながら、従来の構成では、操作レバーの良好な操作位置と、バルブ操作部に対する良好な作動性とを確保するために、操作レバーにクランク状の折曲部を設けねばならない等、部材の複雑な加工や配置のための検討等を余儀なくされ、決して設計自由度が大きいものであるとは言えない。
【０００５】
本発明は、このような課題に着目してなされたものであって、主たる目的は、良好な操作位置と、傾動制動部の作動部に対する良好な作動性とを確保できるとともに当該傾動操作装置を自由に配置できる傾動操作装置を備えた椅子を提供することにある。
【課題を解決するための手段】
【０００６】
すなわち、本発明の傾動操作装置を備えた椅子は、背もたれを取り付けるための背フレームと座受を支持するための支持基部との間に設けた傾動制動部の作動部を作動させることによって、背もたれの傾動動作を選択的に可能にした椅子の傾動制動装置を操作するための装置であって、手指を掛けて操作可能な操作ハンドルと連動動作するハンドル側作動体と、前記ハンドル側作動体と当接し、且つ前記傾動制動部の作動部と当接してその作動部を作動又は非作動状態にする中間作動体とを具備し、前記ハンドル側作動体と中間作動体とが当接する位置と、前記中間作動体と作動部とが当接する位置とを異なる位置に配していることを特徴とする。
【０００７】
このようなものであれば、例えば、良好な操作位置を確保するには、前記ハンドル側作動体と中間作動体とが当接する位置を確保することに注力して設計すればよく、傾動制動部の作動部に対する良好な作動性を確保するための設計とは切り離してその設計をすることができる。
【０００８】
すなわち、良好な操作位置と、傾動制動部の作動部に対する良好な作動性とを確保できるとともに当該傾動操作装置を自由に配置できる傾動操作装置を備えた椅子を提供することができる。
【０００９】
このとき、前記中間作動体が、前記ハンドル側作動体と作動部との間に配されるものであって、前記ハンドル側作動体が中間作動体の一面側で当接し、前記作動部が中間作動体の他の面側で当接するように構成しているのであれば、ハンドル側作動体と傾動制動部とが干渉する恐れが少なく、確実に操作して作動させることができる。
【００１０】
なお、適当なクリック感により良好な操作感を得るには、前記中間作動体が、前記傾動制動部の作動部を作動状態にした際に、前記ハンドル側作動体の一部と係合する作動時係合部と、非作動状態にした際に、前記ハンドル側作動体の他の一部と係合する非作動時係合部とを具備することが望ましい。
【００１１】
このとき、前記ハンドル側作動体の一部と作動時係合部とが、互いに摺動し得るものであり、また、前記ハンドル側作動体の他の一部と非作動時係合部とが、互いに摺動し得るものであれば、スムーズな操作感を得られる。
【００１２】
比較的小さな操作力で、傾動制動部の作動部を作動させるには、前記ハンドル側作動体と中間作動体との当接する位置が、基端側を回動中心として回動させた当該中間作動体の先端側であり、また、前記中間作動体と作動部との当接する位置が、基端側を回動中心として回動させた当該中間作動体の中間部であることが好ましい。
【００１３】
また本発明の望ましい態様としては、前記中間作動体の先端側が、前記傾動制動部の作動部を作動状態にした際に、前記ハンドル側作動体の一部と係合しつつ、そのハンドル側作動体の一部からの押圧力を受けるように構成したものや、前記中間作動体の先端側が、前記傾動制動部の作動部を非作動状態にした際に、前記ハンドル側作動体の他の一部と係合しつつ、そのハンドル側作動体の他の一部からの押圧力を受けるように構成したものが挙げられる。
【００１４】
また、前記中間作動体の先端側がハンドル側作動体から受ける押圧力を、前記傾動制動部の作動部を作動状態にした際と非作動状態した際とで異なるように構成しているのであれば、例えば、作動部を作動状態から非作動状態にする際に、良好なクリック感を得られ、どの状態にあるのかを好適に知ることができ、確実に操作できる。
【００１５】
前記ハンドル側作動体と基準位置で当接することにより、前記操作ハンドルがその基準位置よりも反操作方向へ移動することを防止するストッパを備えているのであれば、部材の不測の動作を防止して、損傷等を防止できる。
【００１６】
前記作動部を、背フレーム側に配しているのであれば、ハンドル側作動体並びに中間作動体及び操作ハンドルを背フレーム側に配することができ、例えば、座姿勢を変えずに手を自然に垂らした状態での操作ハンドルの操作が可能になる。
【発明の効果】
【００１７】
以上説明したように本発明の傾動操作装置を備えた椅子によれば、例えば、良好な操作位置を確保するには、前記ハンドル側作動体と中間作動体とが当接する位置を確保することに注力して設計すればよく、傾動制動部の作動部に対する良好な作動性を確保するための設計とは切り離してその設計をすることができる。
【００１８】
すなわち、良好な操作位置と、傾動制動部の作動部に対する良好な作動性とを確保できるとともに当該傾動操作装置を自由に配置できる傾動操作装置を備えた椅子を提供することができる。
【発明を実施するための最良の形態】
【００１９】
以下、本発明の一実施形態を、図面を参照して説明する。
【００２０】
本実施形態に係る椅子Ｃは、図１、図２及び図３に示すように、脚１と、脚１の上端側に取り付けた支持基部２と、前部を前記支持基部２に支持させた座受３と、前記座受３に取り付けた座４と、基端を前記支持基部２に取り付け中間部に前記座受３の後部を支持させた背フレーム５と、前記背フレーム５に取り付けた背もたれ６と、前記背フレーム５と支持基部２との間に設けられ背もたれ６の傾動動作を選択的に可能にするようにした傾動制動装置７と、背もたれ６を後傾させる際の反力を調整するための傾動反力調整装置８と、傾動制動装置７を操作するための傾動操作装置９とを具備してなる。
【００２１】
以下に各部を具体的に説明する。
【００２２】
脚１は、先端にキャスタ１１１をそれぞれ備えた５本の脚羽根１１と、５本の脚羽根１１の基端部において起立する脚支柱１２とからなるものである。
【００２３】
支持基部２は、図３、図４、図５等に示すように、底板２１とこの底板２１の側縁からそれぞれ一体に屈曲起立させた一対の側板２２と、一対の側板２２の前端部間に横架させた補強リブとして機能する一対の隔壁２３、２４とを備えた例えば金属製のもので、前記底板２１の後端部に前記脚支柱１２の上端部を取り付けて該脚支柱１２に支持させている。なお、一対の隔壁２３、２４のうち基端側の隔壁２３には、肉厚方向に穿設したリテーナ案内部２３ａを設けている。このリテーナ案内部２３ａは、正面視略矩形状を成すものであって、当該リテーナ案内部２３ａに挿通した後述するリテーナ８１２ｂを、後述するコイルばね８１１の圧縮進退方向に進退するように案内するものである。またこの支持基部２は、左右の側板２２の略中央部間に、背フレーム５を回動可能に軸支する軸２Ｘを横架させている。さらに、左右の側板２２の前端部には、後述する座受３の前フレーム（図示せず）を支持するための長孔２２ａを、それぞれ肉厚方向に穿設させている。さらにまた、当該支持基部２の基端側に、傾動制動装置７の下端部を揺動可能に支持させている。加えて、かかる支持基部２には下方から下カバー２ｃが被せられ、直接外観できないようにしてある。また、本実施形態では、底板２１に一対のリブ状の規制部２１ａを突設させている。この規制部２１ａは、後述する下連結部５２に支持されるコイルばね受部８１１ｘの側面視略Ｃ字状の基端部８１１ｘ１が、その下連結部５２の軸方向に移動することを規制するものであって、前記コイルばね受部８１１ｘの基端部８１１ｘ１を挟み込む位置に対応させて設けている。
【００２４】
座受３は、前記支持基部２上に位置し、前後に延びる図示しない縦フレーム３１と、これら縦フレーム３１の前端部間および後端部間にそれぞれ横架させた図示しない前フレーム（図示せず）および後フレーム３３を具備している。
【００２５】
そして、前フレームは、棒状のものであって、支持基部２の長孔２２ａに挿通されてこれに支持されている。
【００２６】
座４は、この座４に掛かる荷重を均等に支持する構造部材としての役割を担い座受３に一体に形成される座シェル４１（図示せず）と、座シェル４１の上方に設けられる座クッション材４２（図示せず）と、この座クッション材４２を被覆する座カバー材４３とを具備する。
【００２７】
背フレーム５は、図３、図５、図７に示すように、左右一対の背フレーム本体５１と、これら一対の背フレーム本体５１の下端部間及び上端部間にそれぞれ横架させた下連結部５２及び上連結部５３と、これら一対の背フレーム本体５１の略中央部に突き抜けて設けた中連結部５４と、前記上連結部５３に取り付けられる一対のハンドルロッド支持部５５とを具備するものである。
【００２８】
下連結部５２は、棒状のものであって、その中央部で、後述するコイルばね８１１の一端側に設けたコイルばね受部８１１ｘを支持している。
【００２９】
上連結部５３は、棒状のものであって、その中央部で、一対のハンドルロッド支持部５５を支持している。そして、この上連結部５３は、後述するハンドル側作動体９３と当接して操作ハンドル９１がその当接位置（基準位置）よりも反操作方向へ移動することを防止するストッパ５５ｚとして機能する。
【００３０】
中連結部５４は、棒状のものであって、その両端側で前記座受３の後端側を支持している。
【００３１】
ハンドルロッド支持部５５は、板金素材を打ち抜き加工等して形成したものである。そして、一対のハンドルロッド支持部５５にそれぞれ形成した貫通孔５５ａに、後述するハンドルロッド９２を回動可能に軸支させている。また、一対のハンドルロッド支持部５５間に横架させた支持軸５５ｘに、後述する中間作動体９４を回動可能に支持させている。加えて本実施形態では、これら一対のハンドルロッド支持部５５間に横架させた横架板５５ｙに傾動制動装置７の上端部を取り付けている。
【００３２】
そして、各背フレーム本体５１の基端部の肉厚方向にそれぞれ穿設した挿通孔５１ａに、前記支持基部２の軸２Ｘを挿通させることにより、当該背フレーム５が、この軸２Ｘを回動中心として回動するように構成している。
【００３３】
背もたれ６は、この背もたれ６に掛かる荷重を均等に支持する構造部材としての役割を担い背フレーム５に支持される背シェル６１と、背シェル６１の前方に設けられる背クッション材６２（図示せず）と、この背クッション材６２を被覆する背クッションカバー材６３とを具備する。
【００３４】
傾動制動装置７は、ここではガススプリングを用いて説明する。この傾動制動装置７は、図３、図５等に示すように、略円筒状のガススプリング本体７１と、このガススプリング本体７１内に略全体を収納されるべく進退するピストンロッド部７２とを具備するとともに、前記ピストンロッド部７２の先端には作動状態たる開放状態（Ｕ１）又は非作動状態たる閉塞状態（Ｕ２）を取る作動部たる開閉部７３を設けた、傾動制動部として機能するガススプリングであって、前記開閉部７３が開放状態（Ｕ１）にされると、ピストンロッド部７２の進退が可能になる一方、閉塞状態（Ｕ２）にされるとピストンロッド部７２の進退が阻止されるように構成してある。そして、本実施形態では、当該傾動制動装置７の上端部が、背フレーム５の横架板５５ｙに支持される一方、下端部が、支持基部２の基端側に揺動可能に支持されるようにしている。
【００３５】
傾動反力調整装置８は、図４等に示すように、支持基部２内に配され、且つ背もたれ６を後傾させる際の反力を座受３とは独立に発生させる反力発生部８１と、座４の側縁前端側に設けられ、反力発生部８１の反力の強さを調整操作するための反力調整用操作部８２とを具備してなる。
【００３６】
より具体的に説明すると、反力発生部８１は、コイルばね８１１と、このコイルばね８１１の一端側に設けられ且つ前記反力調整用操作部８２が受ける調整操作と連動して前記コイルばね８１１を圧縮又は伸長させる圧縮伸長部８１２とを具備している。
【００３７】
本実施形態では、この圧縮伸長部８１２は、前記反力調整用操作部８２が受ける調整操作と連動してコイルばね８１１の圧縮伸長方向と直交する方向に進退する平面視略台形状のスライダ８１２ａと、このスライダ８１２ａと摺動しつつ且つ前記コイルばね８１１を支持しながら前記圧縮伸長方向に進退する平面視略台形状のリテーナ８１２ｂと、このリテーナ８１２ｂの前記圧縮伸長方向への進退を案内するリテーナ案内部２３ａとから成るものである。このリテーナ案内部２３ａは、上述した通り、座受３を支持するための支持基部２の隔壁２３に形成されている。
【００３８】
反力調整用操作部８２は、座受３の前端縁と略平行に配されるロッド８２１と、このロッド８２１の先端に設けられ且つロッド８２１を軸回りに回転させる操作グリップ８２２とを具備してなる。
【００３９】
傾動操作装置９は、図３、図６、図８等に示すように、手指を掛けて操作可能な操作ハンドル９１と、この操作ハンドル９１とハンドルロッド９２を介して接続され且つ該操作ハンドル９１と連動動作するハンドル側作動体９３と、前記ハンドル側作動体９３と当接し、且つ前記傾動制動装置７の開閉部７３と当接してその開閉部７３を開放（Ｕ１）又は閉塞状態（Ｕ２）にする中間作動体９４とを具備するものである。
【００４０】
より具体的に各部を説明すると、ハンドル側作動体９３は、側面視略部分円弧状の外周を有するハンドル側作動体本体９３１と、このハンドル側作動体本体９３１の両側から膨出させた側面視略山形状の第１膨出部９３２及び第２膨出部９３３とを具備している。なお、本実施形態では、第１膨出部９３２の先端を、第２膨出部９３３の先端よりも先細り形状にしている。また、ハンドル側作動体本体９３１と第１膨出部９３２との連続部分が、側面視略Ｖ字状を有するように、これらハンドル側作動体本体９３１と第１膨出部９３２とを連続させている。この連続部分に、中間作動体９４の先端部が、傾動制動装置７の開閉部７３が閉塞状態（Ｕ２）にある際に、嵌め込まれることになる（図６（ａ）参照。）。また、本実施形態では、このハンドル側作動体９３の第２膨出部９３３が、図６（ａ）に示す当接位置（基準位置）で前記上連結部５３（ストッパ５５ｚ）と当接するように構成している。
【００４１】
中間作動体９４は、側面視略階段状に折れ曲がった形状を有するものであって、本実施形態では、一端側を、一対のハンドルロッド支持部５５間に横架させた支持軸５５ｘに回動可能に軸支されている。そして、傾動制動装置７の開閉部７３を開放状態（Ｕ１）にした際に、ハンドル側作動体９３の一部（第１膨出部９３２）と係合する作動時係合部たる開放時係合部９４１と、閉塞状態（Ｕ２）にした際に、ハンドル側作動体９３の他の一部（ハンドル側作動体本体９３１）と係合する非作動時係合部たる閉塞時係合部９４２とを備えている。
【００４２】
この開放時係合部９４１は、当該中間作動体９４の上向き面を、側面視略部分円弧状を有するように座刳ったものである。また、閉塞時係合部９４２は、開放時係合部９４１と同様に、当該中間作動体９４の上向き面を、側面視略部分円弧状を有するように座刳ったものである。そして、開放時係合部９４１の曲率半径を、閉塞時係合部９４２の曲率半径よりも小さくするとともに、これら係合部９４１、９４２同士をなだらかに連続させている。
【００４３】
以下、椅子Ｃの使用方法を具体的に説明する。
【００４４】
（１）傾動反力調整装置８による背もたれ６を後傾させる際の反力の調整。
【００４５】
まず、操作グリップ８２２を時計回りに回転させると、これと連動してスライダ８１２ａが操作グリップ８２２に近づく方向に移動を始め、スライダ８１２ａはリテーナ８１２ｂを押圧する。すると、スライダ８１２ａに押圧されたリテーナ８１２ｂは、コイルばね８１１を圧縮する向きに移動をして、コイルばね８１１を圧縮させるため、背もたれ６を後傾させる際の反力を、大きくできる。
【００４６】
なお、スライダ８１２ａにコイルばね８１１が押圧された際に、リテーナ８１２ｂが左右方向に移動しようとしても、リテーナ案内部２３ａがリテーナ８１２ｂと当接してその移動を阻止するので、調整動作を安定させることができる。また同様に、コイルばね受部８１１ｘが下連結部５２の軸方向に沿って移動しても、規制部２１ａがコイルばね受部８１１ｘの基端部８１１ｘ１と当接してこの移動を阻止するため、調整動作を安定させることができる。さらに、スライダ８１２ａが、コイルばね８１１の反力により、コイルばね８１１の伸長方向に移動しようとしても、隔壁２４が、スライダ８１２ａと当接してこの移動を阻止するため、調整動作を安定させることができる。すなわち、背もたれ６を後傾させる際の反力を大きくしても、これら各部によって、調整動作を非常に安定させることができる。
【００４７】
一方、操作グリップ８２２を反時計回りに回転させれば、背もたれ６を後傾させる際の反力を、小さくできる。なお、操作グリップ８２２の回転方向と反力との関係は本実施形態に限られない。
【００４８】
（２）傾動操作装置９による傾動制動装置７の操作。
【００４９】
図６（ａ）に示すように、基準位置にある操作ハンドル９１を、その先端を引き上げる方向に操作すると、この操作ハンドル９１の動作と連動してハンドル側作動体９３が、ハンドルロッド９２の軸回りに回動をする。
【００５０】
すると、ハンドル側作動体９３の第１膨出部９３２は、中間作動体９４の先端部と摺動しながら移動をし（図６（ｂ）参照。）、図６（ｃ）に示す位置で、この第１膨出部９３２と中間作動体９４の開放時係合部９４１とが係合する。しかして、傾動制動装置７の開閉部７３は、中間作動体９４の中間部に押圧されて、開閉部７３がピストンロッド部７２内に略埋没した開放状態（Ｕ１）になる。
【００５１】
一方、図６（ｃ）に示す位置にある操作ハンドル９１を、その先端を引き下げる方向に操作すると、この操作ハンドル９１の動作と連動してハンドル側作動体９３が、ハンドルロッド９２の軸回りに回動をする。
【００５２】
すると、ハンドル側作動体９３の第１膨出部９３２は、中間作動体９４の先端部と摺動しながら移動をし（図６（ｂ）参照。）、図６（ａ）に示す位置で、ハンドル側作動体９３のハンドル側作動体本体９３１と中間作動体９４の閉塞時係合部９４２とが係合する。
しかして、傾動制動装置７の開閉部７３は、中間作動体９４の中間部に押圧されることが解除されて、開閉部７３がピストンロッド部７２から突出した閉塞状態（Ｕ２）になる。
【００５３】
このように、本実施形態に係る傾動操作装置９を備えた椅子Ｃによれば、例えば、良好な操作位置を確保するには、前記ハンドル側作動体９３と中間作動体９４とが当接する位置を確保することに注力して設計すればよく、開閉部７３に対する良好な作動性を確保するための設計とは切り離してその設計をすることができる。
【００５４】
すなわち、良好な操作位置と、開閉部７３に対する良好な作動性とを確保できるとともに当該傾動操作装置９を自由に配置できる傾動操作装置９を備えた椅子Ｃを提供することができる。
【００５５】
また、前記中間作動体９４が、前記ハンドル側作動体９３と開閉部７３との間に配されるものであって、前記ハンドル側作動体９３が中間作動体９４の一面側で当接し、前記開閉部７３が中間作動体９４の他の面側で当接するように構成しているので、ハンドル側作動体９３と傾動制動装置７とが干渉する恐れが少なく、確実に操作して作動させることができる。
【００５６】
また、前記中間作動体９４が、前記開閉部７３を開放状態（Ｕ１）にした際に、前記ハンドル側作動体９３の第１膨出部９３２と係合する開放時係合部９４１と、閉塞状態（Ｕ２）にした際に、前記ハンドル側作動体９３のハンドル側作動体本体９３１と係合する閉塞時係合部９４２とを具備しているので、適当なクリック感により良好な操作感を得られる。
【００５７】
また、前記ハンドル側作動体９３の第１膨出部９３２と開放時係合部９４１とが、互いに摺動し得るものであり、また、前記ハンドル側作動体９３のハンドル側作動体本体９３１と閉塞時係合部９４２とが、互いに摺動し得るようにしているので、スムーズな操作感を得られる。
【００５８】
前記ハンドル側作動体９３と中間作動体９４との当接する位置が、基端側を回動中心として回動させた当該中間作動体９４の先端側であり、また、前記中間作動体９４と開閉部７３との当接する位置が、基端側を回動中心として回動させた当該中間作動体９４の中間部としているので、倍力作用を利用して比較的小さな操作力で、開閉部７３を開閉させることができる。
【００５９】
また、前記ハンドル側作動体９３と基準位置で当接することにより、前記操作ハンドルがその基準位置よりも反操作方向へ移動することを防止するストッパを備えているので、部材の不測の動作を防止して、損傷等を防止できる。
【００６０】
なお、本発明は、以上に詳述した実施形態に限られるものではない。
【００６１】
例えば、ハンドル側作動体９３や中間作動体９４の構成や形状は本実施形態のものに限られない。
【００６２】
また、操作ハンドル９１の配置場所や形状なども本実施形態のものに限られない。
【００６３】
その他、各部の具体的構成についても上記実施形態に限られるものではなく、本発明の趣旨を逸脱しない範囲で種々変形が可能である。
【図面の簡単な説明】
【００６４】
【図１】本発明の一実施形態に係る椅子を示す全体斜視図。
【図２】同実施形態における椅子の正面図、側面図、底面図。
【図３】同実施形態における支持基部、背フレームなどの主要部の取付関係を示す側面図。
【図４】同実施形態における支持基部、背フレームなどの主要部の構成を示す要部拡大図。
【図５】同実施形態における傾動反力調整装置等を示す側面図。
【図６】同実施形態における傾動操作装置の動作態様を模式的に示す図。
【図７】同実施形態におけるコイルばね受部等の取付状態を示す斜視図。
【図８】図６（ｃ）におけるハンドル側作動体や中間作動体等を示す斜視図。
【符号の説明】
【００６５】
Ｃ・・・・・・椅子
２・・・・・・支持基部
３・・・・・・座受
５・・・・・・背フレーム
６・・・・・・背もたれ
７・・・・・・傾動制動装置
９・・・・・・傾動操作装置
５５ｚ・・・・ストッパ
７３・・・・・作動部（開閉部）
９１・・・・・操作ハンドル
９３・・・・・ハンドル側作動体
９４・・・・・中間作動体
９３１・・・・ハンドル側作動体の他の一部（ハンドル側作動体本体）
９３２・・・・ハンドル側作動体の一部（第１膨出部）
９４１・・・・作動時係合部（開放時係合部）
９４２・・・・非作動時係合部（閉塞時係合部）
（Ｕ１）・・・作動状態（開放状態）
（Ｕ２）・・・非作動状態（閉塞状態）
【図１】
2006181102.tif 000003
【図２】
2006181102.tif 000004
【図３】
2006181102.tif 000005
【図４】
2006181102.tif 000006
【図５】
2006181102.tif 000007
【図６】
2006181102.tif 000008
【図７】
2006181102.tif 000009
【図８】
2006181102.tif 000010